(57)【要約】【課題】容易な操作でジョブの実行及び保存を可能とする画像形成装置を提供することを目的とする。【解決手段】可搬性記憶媒体内のジョブ設定を保存する設定がオンのときに、可搬性記憶媒体が装着された状態でユーザが各機能を設定しジョブを実行すると、当該ジョブ設定は可搬性記憶媒体に保存される。可搬性記憶媒体内のジョブ設定を実行する設定がオンのときに、ジョブ設定を記憶する可搬性記憶媒体が装着されると、画像形成装置は可搬性記憶媒体からジョブ設定を読出し（ステップ２３６）、読出したジョブ設定に基づきジョブを実行するための各パラメータを設定した後に、ジョブを実行する（ステップ２３８）。可搬性記憶媒体が正しく装着されなかったとき、又は、可搬性記憶媒体内にジョブ設定が保存されていなかったときには、画像形成装置はデフォルト設定に基づきジョブを実行する（ステップ２３８）。【選択図】図６
2014235705.tif 000002
【特許請求の範囲】
【請求項１】
可搬性記憶媒体を装着可能な読出装置を有する画像形成装置であって、
可搬性記憶媒体から読出したジョブ設定を当該画像形成装置に適用するか否かを予め設定するための設定手段と、
前記読出装置に可搬性記憶媒体が装着されたことに応答して、ジョブ設定を当該画像形成装置に適用することが前記設定手段により設定されているか否かを判定するための判定手段と、
前記判定手段による判定が肯定であることに応答して、前記読出装置に装着された前記可搬性記憶媒体からジョブ設定を読出し、当該ジョブ設定に基づいてジョブを実行するための第１の実行手段とを含む、画像形成装置。
【請求項２】
前記第１の実行手段は、
前記判定手段による判定が肯定であることに応答して、前記読出装置に装着された前記可搬性記憶媒体から所定の形式のジョブ設定を読出せるか否かを判定するための読出判定手段と、
前記読出判定手段による判定が肯定であることに応答して、前記可搬性記憶媒体から前記ジョブ設定を読出し、当該ジョブ設定に基づいてジョブを実行するための手段とを含み、
前記画像形成装置は、
前記読出判定手段による判定が否定であることに応答して、デフォルト設定に基づいてジョブを実行するための第２の実行手段をさらに含む、請求項１に記載の画像形成装置。
【請求項３】
ジョブ設定を作成するためのジョブ設定作成手段と、
ユーザ操作に応答して、前記ジョブ設定作成手段により作成されたジョブ設定に基づくジョブを実行し、当該ジョブのジョブ設定を前記読出装置に装着される可搬性記憶媒体に保存するための保存手段とをさらに含む、請求項１又は請求項２に記載の画像形成装置。
【請求項４】
前記ジョブ設定作成手段は、所定の形式のジョブ設定を作成するための手段を含む、請求項３に記載の画像形成装置。
【請求項５】
ユーザを認証するための認証手段をさらに含み、
前記第１の実行手段は、前記判定手段による判定が肯定であることに応答して、前記可搬性記憶媒体から前記認証手段により認証されたユーザに固有のジョブ設定を読出し、当該ジョブ設定に基づいてジョブを実行するための手段を含む、請求項１に記載の画像形成装置。
【請求項６】
前記設定手段による設定状態を表示するための設定状態表示手段をさらに含む、請求項１から請求項５のいずれかに記載の画像形成装置。
【発明の詳細な説明】
【技術分野】
【０００１】
本発明は画像形成装置に関し、特に、容易な操作でジョブを実行可能な画像形成装置に関する。
【背景技術】
【０００２】
一般的な画像形成装置を用いて印刷等のジョブを実行する場合、ユーザは用紙のサイズ、出力枚数、原稿の拡大倍率又は縮小倍率、解像度、両面印刷又は片面印刷、及び特別機能等、当該ジョブに関する様々な項目を設定する。近年は画像形成装置の機能が向上しており、ユーザは各項目の値を細かく設定することで所望の出力結果を得ることができる。一方で、同一のユーザが使用する設定は毎回同じであることが多い。この点に鑑み、多くの画像形成装置には、予め設定されたジョブプログラムを選択することで自動的に各項目を設定できるジョブプログラム機能が搭載されている。
【０００３】
ジョブプログラム機能を実行する場合、実行するジョブプログラムの選択操作と、スタートキーの押下等によるジョブ開始指示操作との、二段階の操作を行なう必要がある。素早くジョブを実行したい場合、これら一連の操作を行なうことはユーザにとって面倒である。
【０００４】
上記した問題に関連して、後掲の特許文献１では、自動実行機能（オートラン機能）のオン／オフの切替が可能な自動実行制御装置が開示されている。この自動実行制御装置に装着される外部記憶媒体の所定領域には、オートラン情報が予め格納されている。オートラン機能がオンの場合、自動実行制御装置は所定領域を読出し、オートランを開始する。オートラン機能がオフの場合、オートランは実行されない。したがって、ユーザはオートラン機能のオン／オフを設定しておくことで、オートランが実行されるか否かを容易に切替えることができる。
【先行技術文献】
【特許文献】
【０００５】
【特許文献１】特開２００４−２１３４２７号公報
【発明の概要】
【発明が解決しようとする課題】
【０００６】
しかし、特許文献１の自動実行制御装置においてオートラン機能を起動させるには、オートラン機能を予めオンに設定しておく操作と、自動実行制御装置に外部記憶媒体を装着する操作との、二段階の操作を行なう必要がある。したがってこの自動実行制御装置によれば、上記した問題を解決できない。
【０００７】
さらに、特許文献１の自動実行制御装置では、ユーザはオートラン情報を予め作成し、外部記憶媒体に記録させておく必要がある。ユーザは外部記憶媒体に論理ユニット情報だけでなくオートラン情報も別途記録しておかなければならず、記録処理に手間がかかる。外部記憶媒体への記録処理は容易な操作で実行できることが望ましい。
【０００８】
以上より、本願発明は、容易な操作でジョブの実行を可能とする画像形成装置を提供することを目的とする。
【０００９】
さらに本願発明は、容易な操作でジョブの実行及び保存を可能とする画像形成装置を提供することをもう一つの目的とする。
【課題を解決するための手段】
【００１０】
本発明のある局面に係る画像形成装置は、可搬性記憶媒体を装着可能な読出装置を有する画像形成装置である。画像形成装置は、可搬性記憶媒体から読出したジョブ設定を当該画像形成装置に適用するか否かを予め設定するための設定手段と、読出装置に可搬性記憶媒体が装着されたことに応答して、ジョブ設定を当該画像形成装置に適用することが設定手段により設定されているか否かを判定するための判定手段と、判定手段による判定が肯定であることに応答して、読出装置に装着された可搬性記憶媒体からジョブ設定を読出し、当該ジョブ設定に基づいてジョブを実行するための第１の実行手段とを含む。
【００１１】
可搬性記憶媒体から読出したジョブ設定を適用すると設定されている場合に可搬性記憶媒体が装着されると、画像形成装置はジョブ設定を可搬性記憶媒体から読出し、当該ジョブ設定に基づくジョブを実行する。したがって、ユーザは可搬性記憶媒体を画像形成装置に装着させるだけで、可搬性記憶媒体に保存されたジョブ設定に基づくジョブを素早く実行できる。可搬性記憶媒体に予め所望する設定のジョブ設定を保存させておけば、ユーザは所望の出力結果を得ることができる。
【００１２】
当該画像形成装置によれば、適用設定がオンに設定されている場合、可搬性記憶媒体が装着されたことに応答して何らかの設定に基づくジョブが実行される。したがって、ジョブ実行時にユーザは画像形成装置の操作部を操作する必要がなく、画像形成装置の操作方法が不明な場合、及び、画像形成装置の操作部が不能となっている場合等においてもジョブを実行できる。
【００１３】
好ましくは、第１の実行手段は、判定手段による判定が肯定であることに応答して、読出装置に装着された可搬性記憶媒体から所定の形式のジョブ設定を読出せるか否かを判定するための読出判定手段と、読出判定手段による判定が肯定であることに応答して、可搬性記憶媒体からジョブ設定を読出し、当該ジョブ設定に基づいてジョブを実行するための手段とを含み、画像形成装置は、読出判定手段による判定が否定であることに応答して、デフォルト設定に基づいてジョブを実行するための第２の実行手段をさらに含む。
【００１４】
可搬性記憶媒体から読出したジョブ設定を適用すると設定されている場合、画像形成装置は可搬性記憶媒体から所定の形式のジョブ設定を読出せるか否かを判定する。この判定が肯定の場合、画像形成装置は可搬性記憶媒体からジョブ設定を読出し、当該ジョブ設定に基づきジョブを実行する。したがって、可搬性記憶媒体内に複数のジョブ設定が保存されていたとしても、画像形成装置は複数のジョブ設定の中から所定の形式のジョブ設定を選択することができる。
【００１５】
所定の形式のジョブ設定が読出せるか否かの判定が否定の場合、画像形成装置はデフォルト設定に基づいてジョブを実行する。したがって、可搬性記憶媒体に保存されているジョブ設定の中から当該所定形式のジョブ設定が検索されなかった場合、及び、可搬性記憶媒体にジョブ設定が全く保存されていなかった場合等においても、ユーザはデフォルト設定に基づきジョブを実行できる。
【００１６】
好ましくは、画像形成装置は、ジョブ設定を作成するためのジョブ設定作成手段と、ユーザ操作に応答して、ジョブ設定作成手段により作成されたジョブ設定に基づくジョブを実行し、当該ジョブのジョブ設定を読出装置に装着される可搬性記憶媒体に保存するための保存手段とをさらに含む。
【００１７】
ジョブ設定作成手段により作成されたジョブ設定に基づくジョブが実行されると、画像形成装置は当該ジョブ設定を可搬性記憶媒体に保存する。したがって、ユーザがジョブ設定を作成しジョブ開始を指示するという一般的な動作を実行することで、当該ジョブ設定は自動的に可搬性記憶媒体に保存される。ユーザはジョブ設定を保存するための特段の操作を行なうことなく、ジョブ設定を可搬性記憶媒体に保存することができる。さらに、ジョブ設定は画像形成装置でなく可搬性記憶媒体に保存されるので、画像形成装置を利用する他のユーザに当該ジョブ設定を知られてしまうことを防止できる。
【００１８】
さらに好ましくは、ジョブ設定作成手段は、所定の形式のジョブ設定を作成するための手段を含む。
【００１９】
画像形成装置は可搬性記憶媒体に保存するジョブ設定を所定の形式で作成できる。ジョブ設定の読出時に所定の形式のジョブ設定を読出すようにすることで、画像形成装置は当該ジョブ設定を容易に読出すことができる。
【００２０】
好ましくは、画像形成装置はユーザを認証するための認証手段をさらに含み、第１の実行手段は、判定手段による判定が肯定であることに応答して、可搬性記憶媒体から認証手段により認証されたユーザに固有のジョブ設定を読出し、当該ジョブ設定に基づいてジョブを実行するための手段を含む。
【００２１】
画像形成装置は、認証されたユーザに固有のジョブ設定を読出し、当該ジョブ設定に基づいてジョブを実行する。したがって、１つの可搬性記憶媒体に複数のジョブ設定が保存されていたとしても、ユーザはユーザ自身が保存したジョブ設定に基づくジョブを実行できる。さらに、ログインユーザに応じて読出されるジョブ設定が決まるので、複数のユーザが各自のジョブ設定を１つの可搬性記憶媒体に保存することができる。
【００２２】
好ましくは、画像形成装置は、設定手段による設定状態を表示するための設定状態表示手段をさらに含む。
【００２３】
画像形成装置は、可搬性記憶媒体から読出したジョブ設定を適用する設定の設定状態を表示する。したがって、ユーザは可搬性記憶媒体を画像形成装置に装着する前に、当該設定がオン／オフのいずれであるかを容易に確認できる。
【発明の効果】
【００２４】
本発明に係る画像形成装置によれば、可搬性記憶媒体から受信したジョブ設定を適用すると設定されている場合に可搬性記憶媒体が装着されると、画像形成装置は当該ジョブ設定を可搬性記憶媒体から読出し、当該ジョブ設定に基づくジョブを実行する。したがって、画像形成装置は容易な操作でジョブの実行を可能とする。
【００２５】
さらに、本発明に係る画像形成装置によれば、作成したジョブ設定を可搬性記憶媒体に保存すると設定されている場合に当該ジョブ設定に基づくジョブを実行すると、ジョブ設定保存のための特段のユーザ操作が行なわれなくとも、自動的に当該ジョブ設定が可搬性記憶媒体に保存される。したがって、画像形成装置は容易な操作で、ジョブの実行のみならず保存も可能とする。
【００２６】
ジョブ実行時にユーザは画像形成装置の操作部を操作する必要がないので、ユーザが画像形成装置の詳細な操作方法が分からない場合、及び、画像形成装置の操作部が不能となっている場合等においても、ユーザはジョブを実行させることができる。さらに、画像形成装置が省電力状態となり操作部への電源供給がストップしている場合でも、ユーザは可搬性記憶媒体の装着を行なうことで、素早くジョブを実行させることができる。
【図面の簡単な説明】
【００２７】
【図１】本発明の１実施の形態に係る画像形成装置を示す正面図である。
【図２】図１に示す画像形成装置の内部構成を示す図である。
【図３】図１に示す画像形成装置の可搬性記憶媒体インターフェイス部を示す正面図である。
【図４】初期設定時において図１に示す画像形成装置に表示される設定画面の一例である。
【図５】コピー機能モードにおいて図１に示す画像形成装置に表示される基本画面の一例である。
【図６】図１に示す画像形成装置に可搬性記憶媒体を装着してジョブを実行する場合の各機能部の動作を説明する図である。
【図７】可搬性記憶媒体へファイルを保存する際に図１に示す画像形成装置で実行されるプログラムの制御構造を示すフローチャートである。
【図８】ジョブ設定を表すファイル構成の一例である。
【図９】可搬性記憶媒体内のファイルを検索する際に図１に示す画像形成装置で実行されるプログラムの制御構造を示すフローチャートである。
【発明を実施するための形態】
【００２８】
以下の実施の形態では、同一の部品には同一の参照番号を付してある。それらの名称及び機能も同一である。したがって、それらについての詳細な説明は繰返さない。
【００２９】
＜ハードウェア構成＞
図１〜３を参照して、本実施の形態に係る画像形成装置１００の構成を説明する。図１を参照して、画像形成装置１００は、原稿台に載置された原稿の画像を読取る原稿読取部１１０、タッチパネルディスプレイを備え、タッチパネルディスプレイに対するユーザ操作を検知する操作部１１４、読取った画像データを用紙に出力する画像形成部１１２、可搬性記憶媒体を装着可能な可搬性記憶媒体インターフェイス部１１６（以下、「インターフェイス」を単に「ＩＦ」と記載することがある。）、印刷用紙をセットするための給紙部１２４、及び、印刷された用紙を排出する排紙トレイ１２６を含む。
【００３０】
画像形成装置１００は、複写機として機能するコピー機能モード、ファクシミリ装置として機能するファクシミリ機能モード、ネットワークスキャナとして機能するスキャン機能モード、及びプリンタとして機能するプリント機能モード等の、複数の機能モードを備えたデジタル複合機である。これら各機能モードの詳細については、後述する。
【００３１】
本実施の形態では、可搬性記憶媒体ＩＦ部１１６に可搬性記憶媒体５０（図２）を装着する。可搬性記憶媒体５０としてＵＳＢメモリを想定しているが、その他の記憶媒体でもよい。例えば、ＳＤカード（ミニＳＤカード及びマイクロＳＤカード等を含む）、メモリースティック（登録商標）、コンパクトフラッシュ（登録商標）、マイクロドライブ、ｘＤピクチャカード、ＣＤ−Ｒ、又はＤＶＤ等を可搬性記憶媒体５０として利用してもよい。
【００３２】
図２を参照して、画像形成装置１００は、ＣＰＵ（Ｃｅｎｔｒａｌ  Ｐｒｏｃｅｓｓｉｎｇ  Ｕｎｉｔ）１０２、ＲＯＭ（Ｒｅａｄ  Ｏｎｌｙ  Ｍｅｍｏｒｙ）１０４、ＲＡＭ（Ｒａｎｄｏｍ  Ａｃｃｅｓｓ  Ｍｅｍｏｒｙ）１０６、ＨＤＤ（Ｈａｒｄ  Ｄｉｓｋ  Ｄｒｉｖｅ）１０８、電話回線ＩＦ部１１８、及びネットワークＩＦ部１２０をさらに含む。画像形成装置１００は、これらが接続されるバス１２２も含む。各部間のデータ（制御情報を含む）交換は、バス１２２を介して行なわれる。
【００３３】
ＲＯＭ１０４は、通電が遮断された場合にもデータを保持する不揮発性記憶装置である。ＲＯＭ１０４には、画像形成装置１００の動作を制御するのに必要なプログラム及びデータが記憶されている。ＲＡＭ１０６は揮発性の記憶装置である。ＨＤＤ１０８は、書換可能な不揮発性記憶装置であり、画像データ等を記憶する。ＣＰＵ１０２は、バス１２２を介してＲＯＭ１０４からプログラムをＲＡＭ１０６上に読出して、ＲＡＭ１０６の一部を作業領域としてプログラムを実行する。即ち、ＣＰＵ１０２は、ＲＯＭ１０４に格納されているプログラムにしたがって画像形成装置１００を構成する各部の制御を行ない、画像形成装置１００の各機能を実現する。
【００３４】
可搬性記憶媒体ＩＦ部１１６は、画像形成装置１００が可搬性記憶媒体５０にアクセスするためのインターフェイスである。即ち、ＣＰＵ１０２は、可搬性記憶媒体ＩＦ部１１６を介して可搬性記憶媒体５０からデータを読出し、若しくは、可搬性記憶媒体５０にＲＡＭ１０４又はＨＤＤ１０８に記憶されたデータを書出す。種々の可搬性記憶媒体は規格が異なるので、可搬性記憶媒体ＩＦ部１１６には、可搬性記憶媒体ＩＦ部１１６が備えているインターフェイス（ハードウェア及びソフトウェア）に対応した可搬性記憶媒体のみが、正常に装着され得る。
【００３５】
図３を参照して、可搬性記憶媒体ＩＦ部１１６は、各可搬性メモリを装着するためのスロットを備える可搬性メモリ装着部１５０と、ＣＤ−Ｒ及びＤＶＤ（以下、光ディスクという）等を搭載するための光ディスクトレイ１５２とを含む。排出スイッチ１５４は、光ディスクトレイ１５２を排出させるためだけでなく、排出されている光ディスクトレイ１５２を収納するためにも使用される。可搬性記憶媒体ＩＦ部１１６はさらに、赤外線通信ＩＦ部１５６、及び無線通信ＩＦ部（Ｗｉ−Ｆｉ用インターフェイス等）（図示せず）を含む。これにより、画像形成装置１００は、携帯電話及びスマートフォン等とデータ通信を行なうことができる。
【００３６】
再び図２を参照して、電話回線ＩＦ部１１８は、外部の電話回線１６０に接続され、画像形成装置１００が電話回線１６０を介して外部装置とＦＡＸ通信するためのインターフェイスであり、ＦＡＸモデムを備えている。ネットワークＩＦ部１２０は、外部の通信ネットワーク（以下、単にネットワークという）１６２に接続され、画像形成装置１００がネットワーク１６２を介して外部装置と通信するためのインターフェイスであり、ＮＩＣ（Ｎｅｔｗｏｒｋ  Ｉｎｔｅｒｆａｃｅ  Ｃａｒｄ）を備えている。
【００３７】
原稿読取部１１０は、画像を読取るためのＣＣＤ（Ｃｈａｒｇｅ  Ｃｏｕｐｌｅｄ  Ｄｅｖｉｃｅ：電荷結合素子）と、原稿台又は自動原稿送り装置（Ａｕｔｏ  Ｄｏｃｕｍｅｎｔ  Ｆｅｅｄｅｒ：ＡＤＦ）等にセットされた原稿を検知する原稿検知センサとを備え、原稿を読取って画像データを生成する。画像データはＲＡＭ１０６に一時的に記憶され、必要に応じてＨＤＤ１０８にも記憶される。画像形成部１１２は、読取った画像データに対して種々の画像処理が実行されて生成された画像データに基づいて、給紙部１２４（図１）から搬送された記録紙上への画像形成（以下、印刷、コピー、又はプリントともいう）を行なう。画像が形成された記録紙は、排紙トレイ１２６に排出される。図１に示すように、給紙部１２４は、複数の給紙トレイを備えている。各給紙トレイには、例えばＢ５、Ａ４、Ｂ４、及びＡ３等の記録紙が収容されている。
【００３８】
＜画像形成装置１００の各機能モード＞
図１及び図２を参照して、画像形成装置１００が搭載している機能（コピー機能、ファクシミリ機能、スキャン機能、及びプリント機能）を実行する各機能モードについて説明する。これらの機能モードは、ユーザが図示しないモード選択画面に表示される機能モードキーのうち、所望する機能モードに対応するキーを指等でタッチすることによって選択できる。
【００３９】
（コピー機能モード）
コピー機能モードでは、原稿読取部１１０によって読取られた原稿の画像データが、画像形成部１１２から複写物として出力される。
【００４０】
原稿読取部１１０に装備されたＣＣＤにより、読取位置にセットされた原稿の画像を電子的に読取ることができる。読取られた画像データは、ＲＡＭ１０６上に出力データ（印刷用データ）として完成された後、ＨＤＤ１０８に記憶される。原稿が複数ある場合には、この読取動作及び記憶動作が繰返される。その後、操作部１１４から指示された処理モードに基づいて、ＨＤＤ１０８に記憶された画像データが適切なタイミングで順次読出されて、画像形成部１１２へと伝送され、記録紙上への画像形成が行なわれる。その後、記録紙は排紙トレイ１２６に排出される。
【００４１】
（ファクシミリ機能モード）
ファクシミリ機能モードでは、画像形成装置１００は、ＦＡＸモデム及び電話回線１６０を介して外部のファクシミリ装置とＦＡＸ送信することができる。画像形成装置１００は、ＨＤＤ１０８から画像データを読出して、ＦＡＸ通信用のデータ形式に変換して、電話回線ＩＦ部１１８及び電話回線１６０を介して外部のファクシミリ装置に送信する。ＦＡＸ送信可能な画像データは、上記したように、可搬性記憶媒体１９０から読出されたデータ、又は、原稿読取部１１０によって原稿が読取られて生成された画像データである。
【００４２】
（スキャン機能モード）
スキャン機能モードでは、画像形成装置１００は、原稿読取部１１０において読取られた原稿の画像データを、ネットワークＩＦ部１２０からネットワーク１６２を介してコンピュータ等の外部装置へ送信する。この場合にも、原稿読取部１１０に装備されたＣＣＤにより原稿を電子的に読取る。読取られた原稿の画像データは、ＲＡＭ１０６上に出力データとして完成された後、ＨＤＤ１０８に記憶される。その後、画像データは、再びＨＤＤ１０８からＲＡＭ１０６に送られ、操作部１１４を介して指定された送信先との通信を確立した上で、電話回線ＩＦ部１１８から、指示された送信先へと送信される。
【００４３】
（プリント機能モード）
プリント機能モードでは、可搬性記憶媒体５０から可搬性記憶媒体ＩＦ部１１６を介して読出した画像データ、又は、外部装置からネットワークＩＦ部１２０を介して受信した画像データに基づいて、画像形成部１１２により記録紙上に画像が形成される。
【００４４】
可搬性記憶媒体５０から読出された画像データ、又はネットワークＩＦ部１２０を介して受信した画像データは、出力画像データとしてページ単位にＲＡＭ１０６に送られた後、ＨＤＤ１０８に記憶される。その後、ＨＤＤ１０８に記憶された画像データが適切なタイミングで順次読出されて、画像形成部１１２での画像形成のタイミングに合わせて、画像データは画像形成部１１２へと伝送される。
【００４５】
給紙部１２４では、記録紙がピックアップローラによって引き出され、複数の搬送用ローラによって、画像形成部１１２まで搬送される。画像形成部１１２では、帯電された感光体ドラムを入力された画像データに応じて露光することにより、感光体ドラムの表面に、画像データに応じた静電潜像を形成する。感光体ドラム上の静電潜像部分にトナーを付着させた後、トナーによる画像を、転写ベルトを介して、搬送された記録紙に転写させる。その後、記録紙は加熱及び加圧され（これにより記録紙に画像が定着する）、排紙トレイ１２６に排出される。
【００４６】
＜初期設定＞
本実施の形態では、コピー等のジョブに関して、原稿サイズ、印刷部数、印刷倍率、解像度、両面／片面印刷、及び各種特別機能等、ジョブの内容を決定付ける各種パラメータの値をユーザが所望する値に予め設定し、可搬性記憶媒体５０に記憶させておく。画像形成装置１００は可搬性記憶媒体５０に記憶されたジョブの設定に基づき、当該ジョブを実行できる。このように、可搬性記憶媒体に記憶された設定に基づき実行するジョブを、以下では「ダイレクトジョブ」と呼ぶことがある。さらに、ジョブを実行するために可搬性記憶媒体に記憶される設定のことを「ダイレクトジョブ設定」と呼ぶことがある。
【００４７】
本実施の形態では、ダイレクトジョブを実行するか否か、又は、ダイレクトジョブの設定を可搬性記憶媒体５０に記憶させるか否かを、画像形成装置１００の初期設定時に設定する。ダイレクトジョブの設定は初期設定時に限らず必要に応じて随時行なうことができる。設定することができるのは画像形成装置１００の管理者等、ある程度以上の権限を有する者に限定されることが望ましい。
【００４８】
図４を参照して、ダイレクトジョブに関する設定を行なうためのダイレクトジョブ設定画面１８０はユーザ操作に応じて操作部１１４に表示される。ダイレクトジョブ設定画面１８０には、可搬性記憶媒体５０（ＵＳＢメモリ）に記憶された設定に基づくダイレクトジョブを実行するか、及び、ダイレクトジョブ設定を可搬性記憶媒体５０へ保存するかを尋ねる文言とともに、チェックボックス１８２及び１８４が表示される。ユーザがチェックボックス１８２又は１８４を指でタッチすると、タッチされたチェックボックスにチェックマークが表示される。ユーザはチェックボックス１８２及び１８４をタッチすることで、ダイレクトジョブに関する設定を行なうか否かを切替えることができる。
【００４９】
本実施の形態では、チェックボックス１８２及び１８４のいずれもチェックされているとする。つまり、画像形成装置１００で設定されたダイレクトジョブの設定を可搬性記憶媒体５０に記憶させることができ、可搬性記憶媒体５０に記憶されるダイレクトジョブの設定に基づきジョブを実行することができる。
【００５０】
図５を参照して、コピー機能モードにおいてユーザが操作部１１４に配置されるホームキー（図示せず）を押下すると、操作部１１４には基本画面２００が表示される。基本画面２００の中央部には画像形成装置１００を示すアイコンが表示される。基本画面２００にはさらに、排紙トレイを選択するための排紙トレイ選択キー２０２、両面／片面印刷を設定するための両面／片面印刷設定キー２０４、集約印刷機能を設定するための集約機能キー２０６、原稿の印刷倍率を設定するための拡大／縮小設定キー２０８、印刷用紙のサイズを選択するための用紙選択キー２１０、及び、各機能キーを操作して得られた設定に基づき画像形成を実行するための実行キー２１２が表示される。
【００５１】
ユーザが各機能キー２０２〜２１０のいずれかをタッチすると、操作部１１４には、タッチされた機能キーの機能を設定するための画面（図示せず）が表示される。ユーザは設定画面のガイダンスに応じて、当該機能を所望の設定に変更できる。変更された内容は機能キー２０２〜２１０に表示される。各機能が所望の内容に変更されたことを確認してからユーザが実行キー２１２を押下すると、当該設定に応じた処理が実行される。
【００５２】
基本画面２００にはさらに、ダイレクトジョブ設定表示２２０が画面の左下部に表示される。ダイレクトジョブ設定表示２２０内には、「ダイレクトジョブ設定の実行」及び「ダイレクトジョブ設定の保存」という文言とともに、チェックボックス２２２及び２２４が表示される。ダイレクトジョブ設定表示２２０は、図４のダイレクトジョブ設定画面１８０での設定内容を反映している。ダイレクトジョブ設定画面１８０において、ダイレクトジョブ設定の実行機能及び保存機能がオンされているため、チェックボックス２２２及び２２４は図５に示すようにチェックされた状態で表示される。
【００５３】
ダイレクトジョブ設定画面１８０と異なり、ダイレクトジョブ設定表示２２０は、単にダイレクトジョブ設定の実行設定及び保存設定のオン／オフを表示するに過ぎない。チェックボックス２２２又は２２４にタッチしても、ユーザはダイレクトジョブ設定のオン／オフを切替えることはできない。
【００５４】
＜ダイレクトジョブの実行＞
図２及び図６を参照して、ダイレクトジョブ設定が保存される可搬性記憶媒体５０を可搬性記憶媒体ＩＦ部１１６に装着すると、各機能部は次のように動作する。なお、本実施の形態では、可搬性記憶媒体５０の装着時には、画像形成措置１００はコピー機能モードに設定されており、操作部１１４には図５に示す基本画面２００が表示されているとする。さらに、コピーの対象となる原稿は原稿読取部１１０（図１）に、読取った画像データを出力する出力用紙は給紙部（図１）に、それぞれ既にセットされているものとする。
【００５５】
可搬性記憶媒体ＩＦ部１１６には電源が供給されており、可搬性記憶媒体５０を装着すると可搬性記憶媒体５０にも画像形成装置１００から電源が供給される。電源が供給されたことに応答して、可搬性記憶媒体５０は画像形成装置１００に通信要求信号を送信する（ステップ２３０）。
【００５６】
可搬性記憶媒体５０から通信要求信号を受信すると、可搬性記憶媒体ＩＦ部１１６は可搬性記憶媒体５０へ通信応答信号を返すとともに、ＣＰＵ１０２に対し可搬性記憶媒体５０を検出したことを通知する信号を送信する（ステップ２３２）。可搬性記憶媒体５０との間の通信準備が整うと、可搬性記憶媒体ＩＦ部１１６はさらにマウント完了を通知する信号をＣＰＵ１０２へ送信する（ステップ２３４）。
【００５７】
マウント完了通知信号を受信したことに応答して、ＣＰＵ１０２は可搬性記憶媒体５０に保存されているダイレクトジョブ設定のファイルを検索するプログラムの実行を開始する（ステップ２３６）。このプログラムの構成については、後述する。このプログラムの実行が完了すると、画像形成装置１００においてコピーを実行するための各機能は、検索されたダイレクトジョブ設定に基づき設定された状態となる。
【００５８】
ステップ２３６が完了したことに応答して、ＣＰＵ１０２は取得したダイレクトジョブ設定に基づくジョブを実行するよう、画像形成装置１００の各機能部を制御する（ステップ２３８）。当該ジョブが実行されると、出力結果が図１の排紙トレイ１２６に排出される。
【００５９】
＜プログラム構成＞
（ファイル保存）
図７を参照して、ダイレクトジョブ設定を可搬性記憶媒体５０に保存する設定がオンされている場合、ジョブのパラメータを設定するユーザ操作が検知されたことに応答して、図７に示すプログラムの実行が開始される。
【００６０】
このプログラムは、検知されたユーザ操作に基づき各機能の値を設定するためのステップ２５０と、ステップ２５０で各機能の値がどのように設定されたかを示すファイル（以下、このファイルを単に「設定ファイル」と呼ぶことがある。）をＲＡＭ１０６に保存するためのステップ２５２と、ユーザ操作に応答して当該設定に基づくジョブを実行するためのステップ２５４と、ダイレクトジョブ設定を可搬性記憶媒体５０に保存する設定がオンされているか否かを判定し、オフのときに処理を終了するためのステップ２５６と、ダイレクトジョブの保存設定がオンのときに可搬性記憶媒体５０が可搬性記憶媒体ＩＦ部１１６に正しく装着されているか否かを判定し、正しく装着されていないときには処理を終了するためのステップ２５８と、可搬性記憶媒体５０が正しく装着されているときに、ステップ２５４で実行されたジョブの設定ファイルをＲＡＭ１０６より読出し、当該ファイルをＸＭＬ（ｅＸｔｅｎｓｉｂｌｅ  Ｍａｒｋｕｐ  Ｌａｎｇｕａｇｅ）形式に変換するステップ２６０と、ステップ２６０で変換された設定ファイルを、当該設定ファイルがＲＡＭ１０６に保存された日時を示すデータとともに可搬性記憶媒体５０へ送信するステップ２６２とを含む。
【００６１】
図８を参照して、ステップ２６２において可搬性記憶媒体５０へ送信される設定ファイルは、図８に示すようなテキストベースの情報を有するＸＭＬ形式のファイルである。この設定ファイルは「．ｘｍｌ」の拡張子を有する。設定ファイルがＸＭＬ形式であることで、データ構成に修正があった場合でも、ユーザは当該設定ファイルの内容を容易に修正できる。
【００６２】
（ファイル検索）
図９を参照して、図６のステップ２３６で実行されるプログラムは、可搬性記憶媒体５０のマウントが完了したことに応答して実行される。このプログラムは、可搬性記憶媒体５０から読出したダイレクトジョブ設定に基づくジョブの実行を許可する設定がオンされているか否かを判定するステップ２７０と、ステップ２７０の判定が肯定のときに、可搬性記憶媒体５０が可搬性記憶媒体ＩＦ部１１６に正しく装着されているか否かを判定するステップ２７２と、ステップ２７２の判定が肯定のときに、可搬性記憶媒体５０に保存されるコピーモードにおける設定ファイルを検索するステップ２７４と、設定ファイルが可搬性記憶媒体５０に保存されているか否かを判定するステップ２７６と、設定ファイルが可搬性記憶媒体５０に保存されている場合に当該設定ファイルをＲＡＭ１０６に読出すステップ２７８と、読出した設定ファイルの形式を、ＸＭＬ形式から各機能部を制御可能な形式に変換するステップ２８０と、変換後の設定ファイルに基づき、コピー機能モードにおける各機能（パラメータ）の値を設定するステップ２８２と、ステップ２８２で設定された各機能の値をＲＡＭ１０６に保存して処理を終了するステップ２８４と、可搬性記憶媒体５０が正しく装着されていない場合（ステップ２７２でＮＯ）、又は、コピー機能モードの設定ファイルが可搬性記憶媒体５０内に格納されていない場合（ステップ２７６でＮＯ）に、各機能の値を予め設定された所定値に設定するステップ２８６と、ステップ２８６で設定された各機能の値をＲＡＭ１０６に保存して処理を終了するステップ２８８とを含む。
【００６３】
ステップ２８２又は２８６で設定される各機能の値は、画像形成装置１００の機能モードに応じた値に設定される。本実施の形態では画像形成装置１００はコピー機能モードに設定されているので、コピー機能モードにおける各設定値がセットされる。
【００６４】
ダイレクトジョブ設定を実行する機能がオンされているが画像形成装置１００の機能モードが未選択である場合は、機能モードに対応する設定ファイルが存在しないとして、ステップ２７６の判定結果はＮＯとなる。可搬性記憶媒体５０に保存されている設定ファイルを示すデータに欠陥がある場合も同様に、ステップ２７６の判定結果はＮＯとなる。
【００６５】
上記したように、本実施の形態では、図９に示すプログラムは、可搬性記憶媒体５０のマウントが完了したことに応答して実行される。したがって、可搬性記憶媒体５０が装着された状態で画像形成装置１００の機能モードが切替えられても、当該プログラムは起動しない。
【００６６】
＜動作＞
図７を参照して、ユーザ操作により入力された設定がダイレクトジョブ設定として可搬性記憶媒体５０に保存される場合の各機能部の動作を説明する。図７を参照して、ダイレクトジョブ設定を可搬性記憶媒体５０へ保存する設定がオンされている場合に各機能の値を設定するユーザ操作を検知したことに応答して、ＣＰＵ１０２は図７に示すプログラムの実行を開始する。
【００６７】
ＣＰＵ１０２はユーザ操作に応じて各機能の値を設定し（ステップ２５０）、当該設定を示す設定ファイルをＲＡＭ１０６に保存する（ステップ２５２）。ＣＰＵ１０２はジョブの実行を指示するユーザ操作を検知したことに応答して、当該設定に基づくジョブを各機能部に実行させる（ステップ２５４）。
【００６８】
ステップ２５４でのジョブの実行が完了すると、ＣＰＵ１０２はダイレクトジョブ設定を保存する機能がオンされているか否かを判定する（ステップ２５６）。ステップ２５６の判定結果が肯定の場合、ＣＰＵ１０２は可搬性記憶媒体５０が可搬性記憶媒体ＩＦ部１１６に正常に装着されているか否かを判定する（ステップ２５８）。
【００６９】
ステップ２５８の判定結果が肯定の場合、ＣＰＵ１０２はステップ２５２において保存した設定ファイルをＲＡＭ１０６から読出し、当該設定ファイルの形式をＸＭＬ形式に変換する（ステップ２６０）。ＣＰＵ１０２は変換後の設定ファイルを可搬性記憶媒体５０に送信する（ステップ２６２）。可搬性記憶媒体５０は受信した設定ファイルを記憶領域に保存する。
【００７０】
ステップ２６２の実行が完了した場合、若しくは、ステップ２５６又は２５８の判定結果が否定の場合、図７に示すプログラムの実行は完了する。つまり、ダイレクトジョブ設定を保存する設定がオフされている場合、又は、当該設定はオンされているが可搬性記憶媒体５０が正常に装着されていなかった場合は、実行されたジョブの設定は可搬性記憶媒体５０に保存されない。
【００７１】
可搬性記憶媒体５０に「．ｘｍｌ」の拡張子を有する設定ファイルが既に保存されている場合、可搬性記憶媒体５０は上書き保存処理を行ない、ステップ２６２で送信された設定ファイルを保存する。したがって、可搬性記憶媒体５０内には「．ｘｍｌ」の拡張子を有する設定ファイルは１つしか保存されない。
【００７２】
図６及び図９を参照して、可搬性記憶媒体５０から読出したダイレクトジョブ設定に基づくジョブを画像形成装置１００で実行する場合の各機能部の動作について説明する。図６を参照して、可搬性記憶媒体５０との間の通信接続が整い、可搬性記憶媒体５０のマウントが完了すると、ＣＰＵ１０２は図９に示すプログラムの実行を開始する。
【００７３】
図９を参照して、ＣＰＵ１０２は可搬性記憶媒体５０に記憶されたダイレクトジョブ設定に基づくジョブを実行する設定がオンされているか否かを判定する（ステップ２７０）。ステップ２７０の判定結果が肯定の場合、ＣＰＵ１０２は可搬性記憶媒体５０が可搬性記憶媒体ＩＦ部１１６に正しく装着されているか否かを判定する（ステップ２７２）。
【００７４】
ステップ２７２の判定結果が肯定の場合、ＣＰＵ１０２は可搬性記憶媒体５０に対し、「．ｘｍｌ」の拡張子を有する設定ファイルを検索する（ステップ２７４）。ステップ２７４での検索結果を受けて、ＣＰＵ１０２は、「．ｘｍｌ」の拡張子を有する設定ファイルが可搬性記憶媒体５０内に存在したか否かを判定する（ステップ２７６）。ステップ２７６の判定結果が肯定の場合、ＣＰＵ１０２は可搬性記憶媒体ＩＦ部１１６を介して当該設定ファイルを可搬性記憶媒体５０から読出す（ステップ２７８）。
【００７５】
ＣＰＵ１０２は読出した設定ファイルを、各機能部を制御可能な形式に変換し（ステップ２８０）、変換後の設定ファイルに基づき各機能の値を設定する（ステップ２８２）。ＣＰＵ１０２はステップ２８２で設定された各機能の値をＲＡＭ１０６に保存する（ステップ２８４）。
【００７６】
ステップ２７２又は２７６の判定結果が否定の場合、ＣＰＵ１０２は各機能の値をコピー機能モードにおいて予め設定された所定値に設定する（ステップ２８６）。ＣＰＵ１０２はステップ２８６において設定された各機能の値を示す設定ファイルをＲＡＭ１０６に保存する。ステップ２７０の判定結果が否定の場合、又は、ステップ２８４若しくは２８８の処理が完了した場合、このプログラムの実行は終了する。
【００７７】
図６を参照して、ステップ２３８において、ＣＰＵ１０２はステップ２３６でセットされた各設定値に基づき、当該ダイレクトジョブを実行する。
【００７８】
ダイレクトジョブの実行（ステップ２３８）が開始された時点においては、可搬性記憶媒体５０からのダイレクトジョブ設定の読出処理（ステップ２７８）及び当該ダイレクトジョブ設定の保存処理（ステップ２８４）は既に完了している。したがって、ユーザはジョブの実行中に可搬性記憶媒体５０を画像形成装置１００から取外してもよい。こうすることで、ユーザはジョブの実行後に、素早く次の動作に取掛かることができる。
【００７９】
＜作用及び効果＞
本実施の形態に係る画像形成装置１００によると、ダイレクトジョブ設定を可搬性記憶媒体５０に保存する設定がオンされている場合、ユーザが各機能の値を設定しコピーを実行すると、自動的に当該ジョブ設定が可搬性記憶媒体５０に保存される。したがって、ユーザがダイレクトジョブ設定を保存するための特段の操作を行なわなくとも、当該ユーザが設定したダイレクトジョブ設定が自動的に可搬性記憶媒体５０に保存される。さらに、ダイレクトジョブ設定を実行する設定がオンされている場合、可搬性記憶媒体５０が装着されたことに応じて、可搬性記憶媒体５０内のジョブ設定に基づくジョブが実行される。したがって、急いでコピーを完了しなければならない場合であっても、ユーザは画像形成装置１００に原稿をセットし可搬性記憶媒体５０を装着するだけで、素早くコピーを開始させることができる。
【００８０】
可搬性記憶媒体５０が画像形成装置１００に正しく装着されていない場合、又は、ダイレクトジョブの実行設定がオンであり可搬性記憶媒体５０が正しく装着されているにもかかわらず、可搬性記憶媒体５０内にダイレクトジョブ設定が保存されていない場合、画像形成装置１００は予め設定された所定値に基づきジョブを実行する。したがって、ダイレクトジョブ設定が保存されていない可搬性記憶媒体を用いた場合であっても、ユーザは当該可搬性記憶媒体を装着して所定設定に基づくジョブを実行できる。
【００８１】
ダイレクトジョブ設定に基づくジョブを実行する際、ユーザは操作部１１４（図１）を操作しなくてもよい。したがって、操作部１１４が何らかの原因で不能になってしまっている状態、又は、省電力モード時に操作部１１４への電源供給がストップしている状態においても、ユーザは上記した一連の動作を行なうだけで容易にジョブを開始させることができる。
【００８２】
前のユーザが画像形成装置１００を利用した直後には、画像形成装置１００の各機能の値は前のユーザが設定したままの状態となっていることがある。このような状態であっても、ユーザは原稿をセットして可搬性記憶媒体５０を装着すれば、リセットキー及びスタートキーを押下しなくとも、ダイレクトジョブを実行できる。
【００８３】
ダイレクトジョブ設定を実行する設定がオンされているか否かは、ダイレクトジョブ設定表示２２０（図５）に表示される。したがって、画像形成装置１００の操作方法を詳細に理解していないユーザでも、原稿をセットして可搬性記憶媒体５０を装着するだけでジョブを実行できる。
【００８４】
ダイレクトジョブ設定は可搬性記憶媒体５０にのみ保存され、画像形成装置１００には保存されない。したがって、当該ダイレクトジョブ設定が外部に流出することを防ぐことができる。
【００８５】
［変形例］
画像形成装置１００がユーザ認証機能を有する場合、ユーザごとのダイレクトジョブ設定をユーザの識別情報とともに保存するようにしてもよい。ユーザは画像形成装置１００の起動時に、予めログイン処理を行なう。この実施例では、ユーザが作成した設定を保存する処理（図７のステップ２５２）、及び、可搬性記憶媒体５０に対して設定ファイルを検索する処理（図９のステップ２７４）が上記実施の形態と異なる。それ以外の処理は、上記実施の形態と同様である。
【００８６】
＜動作＞
図７を参照して、ＣＰＵ１０２はログインユーザが実行したジョブのジョブ設定を、ユーザ名を設定ファイルのファイル名として、ＲＡＭ１０６に保存する（ステップ２５２）。図９を参照して、ＣＰＵ１０２は可搬性記憶媒体５０に対して、拡張子が「．ｘｍｌ」でありファイル名が当該ユーザのユーザ名である設定ファイルを検索する（ステップ２７４）。
【００８７】
＜作用及び効果＞
この変形例によれば、設定ファイルはユーザごとに区別して保存され、ＣＰＵ１０２はユーザ名をファイル名とする設定ファイルを検索する。したがって、ユーザごとのダイレクトジョブ設定を保存及び実行させることができる。さらに、１つの可搬性記憶媒体に複数ユーザのダイレクトジョブ設定を保存させておくことができるので、可搬性記憶媒体を複数のユーザで共有できる。この場合でも、可搬性記憶媒体５０から読出されるジョブ設定はログインユーザに固有の設定であり、他のユーザに当該設定の内容を知られることはない。
【００８８】
ダイレクトジョブ設定を予め作成していないユーザの場合、図９のステップ２７６において、当該ユーザに対応する設定ファイルは存在しないと判定される。したがって各機能の値は所定値に設定され（ステップ２８６）、ダイレクトジョブ設定を作成していないユーザであっても容易な操作で所定値に基づくジョブを実行できる。
【００８９】
上記実施の形態では、可搬性記憶媒体５０を介してダイレクトジョブ設定のやり取りを行なっているが、このやり取りは近距離無線通信（Ｎｅａｒ  Ｆｉｅｌｄ  Ｃｏｍｍｕｎｉｃａｔｉｏｎ：ＮＦＣ）を用いて行なってもよい。例えば、可搬性記憶媒体ＩＦ部１１６に代わって無線通信ＩＦ部を画像形成装置１００に設け、無線通信ＩＦ部を介して外部通信機器との間でダイレクトジョブ設定の送受信を行なってもよい。この場合、ユーザは外部通信機器を画像形成装置１００にかざす等、上記実施の形態よりもさらに容易な操作でダイレクトジョブの保存処理及び実行処理を行なうことができる。
【００９０】
上記実施の形態では、ダイレクトジョブ設定は１つの機能モードにおける設定のみを示すが、ダイレクトジョブ設定が全ての機能モードの設定を含むものとしてもよい。すなわち、可搬性記憶媒体５０から読出される設定ファイルには、全ての機能モードにおける設定情報が含まれる。画像形成装置１００は読出した設定ファイルから、読出時点で設定されている画像形成装置１００の機能モードにおける設定に基づき、各機能の値を設定する。このように構成することで、ユーザは１つの設定ファイルに各機能モードにおけるダイレクトジョブ設定を集約させることができ、設定ファイルの管理負担が軽減される。
【００９１】
原稿又は出力用紙が予めセットされていない場合、エラー音を発信してジョブが実行できなかったことを通知するように画像形成装置１００を構成してもよい。図６を参照して、この場合、ＣＰＵ１０２はステップ２３８のジョブ実行後、当該ジョブが完了したか否かを判定する判定処理をさらに行なう。この判定結果が否定の場合、画像形成装置１００へエラー音を発し、原稿の置き忘れ又は用紙切れを通知する表示を操作部１１４に表示する。
【００９２】
あるジョブを実行している途中に可搬性記憶媒体５０が装着された場合、ダイレクトジョブを割込処理として実行させるよう、画像形成装置１００を構成してもよい。例えば、画像形成装置１００が大量の原稿を印刷している途中で別の原稿を急いでコピーしたい場合、ユーザは当該原稿を原稿読取部１１０（図１）にセットし、可搬性記憶媒体５０を可搬性記憶媒体ＩＦ部１１６（図１）に装着する。可搬性記憶媒体５０のマウントが完了したことに応答して、ＣＰＵ１０２は実行中の印刷処理を中断し、図９に示すプログラムの実行を開始する。このダイレクトジョブが完了すると、ＣＰＵ１０２は中断していた印刷処理を各機能部に再開させる。このような構成とすることで、ユーザは原稿のセット及び可搬性記憶媒体５０の装着を行なうだけで、素早く原稿をコピーすることができる。
【００９３】
上記実施の形態ではジョブとしてコピーを実行しているが、実行可能なジョブがコピーに限定されないことは言うまでもない。例えば、画像形成装置１００がファクシミリ機能モードに設定されている場合、ダイレクトジョブ設定に基づくファクシミリ送信を行なうことができる。この場合、ダイレクトジョブ設定は原稿に関する設定情報だけでなく送信先情報等も含むことが望ましい。送信先情報は画像形成装置１００ではなく可搬性記憶媒体５０に保存されるので、画像形成装置１００を利用する他のユーザに当該送信先情報が漏洩することを防ぐことができる。
【００９４】
可搬性記憶媒体５０にダイレクトジョブ設定を保存する際に、当該設定を暗号化してから保存してもよい。例えば、設定ファイルをＸＭＬ形式に変換する際（図７のステップ２６０）に暗号化も同時に行なってもよい。この場合、可搬性記憶媒体５０から設定ファイルを読出す際（図９のステップ２７８）にも同様に、形式変換処理とともに複合化を行なう必要がある。このような構成とすることで、可搬性記憶媒体５０に保存される設定ファイルのセキュリティ性をより高めることができる。
【００９５】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【００９６】
５０      可搬性記憶媒体
１００    画像形成装置
１０２    ＣＰＵ
１０４    ＲＯＭ
１０６    ＲＡＭ
１０８    ＨＤＤ
１１４    操作部
１１６    可搬性記憶媒体ＩＦ部
１８０    ダイレクトジョブ設定画面
２００    基本画面
【図１】
2014235705.tif 000003
【図２】
2014235705.tif 000004
【図３】
2014235705.tif 000005
【図４】
2014235705.tif 000006
【図５】
2014235705.tif 000007
【図６】
2014235705.tif 000008
【図７】
2014235705.tif 000009
【図８】
2014235705.tif 000010
【図９】
2014235705.tif 000011